(57)【要約】【課題】同一の受信周波数帯域を有する複数のアンテナ素子により同時受信した受信信号を単一の回転機構伝送することができる、マルチチャネル化された空中線装置を得る。【解決手段】アンテナ素子群１１及び１２で受信された信号は、それぞれ周波数変換器群１３及び１４で各アンテナ素子毎に互いに異なる中間周波数帯域の信号に変換される。更にこれらの信号を信号合成器１５で１つの信号に合成された後、１チャネルの高周波かつ広帯域な伝送特性を有するロータリージョイント１８の回転部側から固定部側に伝送する。【選択図】  図１
2004151051.tif 000002
【特許請求の範囲】
【請求項１】
方位方向に回転して信号を受信する空中線装置であって、
複数のアンテナ素子と、
この複数のアンテナ素子で受信した信号を前記複数のアンテナ素子毎に異なる中間周波数信号に変換する複数の周波数変換手段と、
この複数の周波数変換手段により変換された前記異なる中間周波数信号を合成する信号合成手段と、
この信号合成手段により合成された信号を後段へ出力する回転機構と、
この回転機構を方位方向に回転駆動する駆動手段と
を具備したことを特徴とする空中線装置。
【請求項２】
方位方向に回転して信号を受信する空中線装置であって、
少なくとも第１周波数帯域の信号を受信する第１のアンテナ素子群と、
第２周波数帯域の信号を受信する第２のアンテナ素子群と、
前記第１及び第２のアンテナ素子群で受信した信号を前記第１及び第２のアンテナ素子群毎に中間周波数信号に変換する複数の周波数変換手段と、
この複数の周波数変換手段により変換された第１及び第２のアンテナ素子群毎の中間周波数信号を同時に後段へ出力する回転機構と、
この回転機構を方位方向に回転駆動する駆動手段と
を具備したことを特徴とする空中線装置。
【発明の詳細な説明】
【０００１】
【発明の属する技術分野】
本発明は、同一周波数帯域を複数のアンテナ素子で受信することが可能な空中線装置に関する。
【０００２】
【従来の技術】
マイクロ波帯及びミリ波帯の活用に伴い、電波監視業務においてもこれら帯域を含めた広周波数帯域の監視が行なわれるようになってきた。
【０００３】
図３に、従来の電波監視システム等において使用されている空中線装置の構成の一例を示す。図３において、この空中線装置３０は、指向性アンテナ素子３１、回転機構部３２、及び回転機構部３２を駆動するための駆動制御部３３を備えている。更に、回転機構部３２は、ロータリージョイント３４を備えている。
【０００４】
指向性アンテナ素子３１は、所望の周波数帯域において高利得かつ指向性を有するアンテナであり、回転機構部３２の回転部側に取り付けられて駆動制御部３３により方位方向に回転され、信号を受信する。受信された信号は、同じく回転機構部３２内のロータリージョイント３４に送られる。ロータリージョイント３４は、その回転部側と固定部側とに設けられたコネクタ３４ａ及び３４ｂの間で高周波信号を伝送できる高周波機構部品であり、受信された信号は回転機構部３２の回転部側からロータリージョイント３４のコネクタ３４ａ及び３４ｂを経由して回転機構部３２の固定部側に伝送される。そして、更に後続の受信系等に送出される。
【０００５】
ところで、電波監視においては電波の利用状況を瞬時かつ確実に把握するため、広い周波数範囲にわたり、且つ空間的及び時間的にも広がりを持たせた監視が必要となる。このため、空中線装置に対しても監視対象とする周波数の広帯域化、監視範囲の広域化、及び複数信号の同時受信のためのマルチチャネル化、特に同一周波数帯域のアンテナ素子を複数個使用してのマルチチャネル化が求められている。
【０００６】
上述の空中線装置３０においては、周波数帯域は指向性アンテナ素子３１を広帯域化することにより、また監視範囲の広域化は駆動制御部３３からの制御により回転機構部３２を通じて指向性アンテナ素子３１を方位方向に回転することによりそれぞれ実現している。しかし、同一周波数帯域のアンテナ素子を複数個使用してのマルチチャネル化については、ロータリージョイント３４の有する伝送チャネル数が１チャネルであるため対応できていない。
【０００７】
１チャネルのロータリージョイントに２つの信号を通過させている事例として、例えばレーダ装置等では、同一の回転機構により回転している主アンテナ及び副アンテナで受信したレーダ反射波信号のうち、副アンテナで受信した信号の周波数をシフトした後に主アンテナからの信号と結合し、１つの信号としてロータリージョイントを通過させる提案がなされている（例えば、特許文献１参照。）。しかし、この特許文献１においては、特定周波数、即ちレーダ送信信号の周波数のみを扱っており、電波監視に必要な広帯域性を有していない。
【０００８】
【特許文献１】
特開平５−１６４８３７号公報（第５頁、図１）
【０００９】
【発明が解決しようとする課題】
複数のアンテナ素子による空中線装置のマルチチャネル化には、その回転機構部に複数の受信信号を同時に伝送するための複数の伝送チャネルを有するロータリージョイントを必要とする。しかし、一般に、ロータリージョイントは伝送可能な周波数帯域幅とその上限周波数、及び伝送チャネル数との組み合わせにより製造の難易度及びコストが大きく異なるとされる。
【００１０】
例えば、上限周波数が３Ｇｈｚ程度で帯域幅が２Ｇｈｚ程度のマイクロ波帯を扱う場合には、６チャネル程度までの複数チャネル化に対応可能とされるが、更に高周波且つ広帯域になるにつれ複数チャネル化が困難である。例えば衛星通信等に使われている１８Ｇｈｚ程度までの全周波数帯域を扱う場合は、複数のチャネル数を有するロータリージョイントは高コストかつその製造が難しく、入手が容易でない。
【００１１】
従って、複数のアンテナ素子を使用して同一周波数帯域をマルチチャネル化した空中線装置を実現するにあたっては、前述のロータリージョイントによる制約により、所望する周波数範囲及び帯域幅での受信を可能とするマルチチャネル化に困難を伴っていた。
【００１２】
本発明は上述の事情を考慮してなされたものであり、複数のアンテナ素子、特に同一の受信周波数帯域を有する複数のアンテナ素子により同時受信した受信信号を単一の回転機構で伝送することができる、マルチチャネル化された空中線装置を提供することを目的とする。
【００１３】
【課題を解決するための手段】
上記目的を達成するために、第１の発明の空中線装置は、方位方向に回転して信号を受信する空中線装置であって、複数のアンテナ素子と、この複数のアンテナ素子で受信した信号を前記複数のアンテナ素子毎に異なる中間周波数信号に変換する複数の周波数変換手段と、この複数の周波数変換手段により変換された前記異なる中間周波数信号を合成する信号合成手段と、この信号合成手段により合成された信号を後段へ出力する回転機構と、この回転機構を方位方向に回転駆動する駆動手段とを具備したことを特徴とする。
【００１４】
また、第２の発明の空中線装置は、方位方向に回転して信号を受信する空中線装置であって、少なくとも第１周波数帯域の信号を受信する第１のアンテナ素子群と、第２周波数帯域の信号を受信する第２のアンテナ素子群と、前記第１及び第２のアンテナ素子群で受信した信号を前記第１及び第２のアンテナ素子群毎に中間周波数信号に変換する複数の周波数変換手段と、この複数の周波数変換手段により変換された第１及び第２のアンテナ素子群毎の中間周波数信号を同時に後段へ出力する回転機構と、この回転機構を方位方向に回転駆動する駆動手段と
を具備したことを特徴とする。
【００１５】
本発明によれば、複数のアンテナ素子で受信した信号をそれぞれ中間周波数に変換して回転機構を通過させることにより、複数のアンテナ素子により同時受信した受信信号を単一の回転機構で伝送することができる、マルチチャネル化された空中線装置を得ることができる。
【００１６】
【発明の実施の形態】
（第１の実施の形態）
以下に、本発明による空中線装置の第１の実施の形態を、図１を参照して説明する。
【００１７】
図１は本発明に係る空中線装置の第１の実施の形態を示すブロック図である。この空中線装置１０は、伝送チャネル数が１チャネルの高周波・広帯域な伝送特性を有するロータリージョイントを用いて、同一の周波数帯域を複数のアンテナ素子により同時受信するものであり、図１に示すように、指向性アンテナ素子１１１、１１２、１１３、１２１、１２２、１２３、及び１２４、周波数変換器１３２、１３３、１４１、１４３、及び１４４、信号合成器１５、回転機構部１６、並びに駆動制御部１７を備えている。更に、回転機構部１６はロータリージョイント１８を備えている。
【００１８】
指向性アンテナ素子１１１、１１２、及び１１３は同一の受信周波数帯域を持つ指向性を有するアンテナ素子である。本実施の形態においては、その受信周波数帯域は１６Ｇｈｚ〜１８Ｇｈｚとしている。また、指向性アンテナ素子１２１、１２２、１２３、及び１２４も同一の受信周波数帯域を持つ指向性を有するアンテナ素子である。本実施の形態においては、その受信周波数帯域は８Ｇｈｚ〜１０Ｇｈｚとしている。
【００１９】
周波数変換器１３２及び１３３は、それぞれ指向性アンテナ素子１１２及び１１３からの受信信号を入力し、互いに異なる中間周波数帯域の信号に変換し、信号合成器１５に出力する。本実施の形態においては、周波数変換器１３２は１６Ｇｈｚ〜１８Ｇｈｚの受信信号を１４Ｇｈｚ〜１６Ｇｈｚの中間周波数帯域の信号に、また周波数変換器１３３は１２Ｇｈｚ〜１４Ｇｈｚにそれぞれ変換する。
【００２０】
周波数変換器１４１、１４３、及び１４４は、それぞれ指向性アンテナ素子１２１、１２３、及び１２４からの受信信号を入力し、周波数変換器１３２及び１３３を含めて互いに異なる中間周波数帯域の信号に変換し、信号合成器１５に出力する。本実施の形態においては、周波数変換器１４１は８Ｇｈｚ〜１０Ｇｈｚの受信信号を１０Ｇｈｚ〜１２Ｇｈｚの中間周波数帯域の信号に、周波数変換器１４３は６Ｇｈｚ〜８Ｇｈｚに、周波数変換器１４４は４Ｇｈｚ〜６Ｇｈｚにそれぞれ変換する。
【００２１】
信号合成器１５は、通過帯域が制限された複数の入力ポートを有し、各入力ポートに加えられた信号を１つの信号に合成し、合成受信信号として出力ポートから回転機構部１６内のロータリージョイント１８に出力する。本実施の形態においては、入力ポート数は１５ａ、１５ｂ、１５ｃ、１５ｄ、１５ｅ、１５ｆ、及び１５ｇの７ポートとし、指向性アンテナ素子１１１及び１２１から直接入力された信号、並びに周波数変換器１３２、１３３、１４１、１４３、及び１４４からのそれぞれの信号に対応した通過帯域を持つ。そして、それらを１つの信号に合成した合成受信信号を出力ポート１５ｈに出力している。
【００２２】
回転機構部１６は、アンテナ素子群１１及び１２、周波数変換器群１３及び１４、並びに信号合成器１５を、駆動制御部１７からの制御信号に基づき方位方向に回転する。また、内部に配置されたロータリージョイント１８を経由して信号合成器１５からの合成受信信号をその回転部側から固定部側に伝送する。
【００２３】
駆動制御器１７は、回転機構部１６を方位方向に回転させるのに必要な制御信号を発生し、回転機構部１６に供給する。
【００２４】
ロータリージョイント１８はその回転部側と固定部側とにそれぞれコネクタ１８ａ及び１８ｂを有し、回転機構部１６内に配置されて回転部側コネクタ１８ａに接続された信号合成器１５の出力ポート１５ｈからの合成受信信号を固定部側コネクタ１８ｂに伝送する。本実施の形態においては、ロータリージョイント１８は高周波かつ広帯域な特性を有するもので、伝送可能な周波数帯域は４Ｇｈｚ〜１８Ｇｈｚとし、伝送チャネル数は１チャネルとしている。
【００２５】
上述の構成の空中線装置１０においては、１６Ｇｈｚ〜１８Ｇｈｚの信号はアンテナ素子群１１内の３個の指向性アンテナ素子１１１、１１２、及び１１３で同時受信される。また、８Ｇｈｚ〜１０Ｇｈｚの信号はアンテナ素子群１２内の４個の指向性アンテナ素子１２１、１２２、１２３、及び１２４で受信される。
【００２６】
アンテナ素子群１１においては、指向性アンテナ素子１１１で受信された１６Ｇｈｚ〜１８Ｇｈｚの信号は、周波数変換されることなく信号合成器１５の入力ポート１５ａ（１６Ｇｈｚ〜１８Ｇｈｚ）に送出される。また、指向性アンテナ素子１１２で受信された信号は周波数変換器１３２により２Ｇｈｚ低い１４Ｇｈｚ〜１６Ｇｈｚの中間周波数帯域の信号に変換され、信号合成器１５の入力ポート１５ｂ（１４Ｇｈｚ〜１６Ｇｈｚ）に送出される。同様に、指向性アンテナ素子１１３で受信された信号は周波数変換器１３３により４Ｇｈｚ低い１２Ｇｈｚ〜１４Ｇｈｚの中間周波数帯域の信号に変換され、信号合成器１５の入力ポート１５ｃ（１２Ｇｈｚ〜１４Ｇｈｚ）に送出される。
【００２７】
一方、アンテナ素子群１２においては、指向性アンテナ素子１２１で受信された８Ｇｈｚ〜１０Ｇｈｚの信号は、周波数変換器１４１により２Ｇｈｚ高い１０Ｇｈｚ〜１２Ｇｈｚの中間周波数帯域の信号に変換され、信号合成器１５の入力ポート１５ｄ（１０Ｇｈｚ〜１２Ｇｈｚ）に送出される。また、指向性アンテナ素子１２２で受信された信号は、周波数変換されることなく信号合成器の入力ポート１５ｅ（８Ｇｈｚ〜１０Ｇｈｚ）に送出される。
【００２８】
更に、指向性アンテナ素子１２３で受信された信号は、周波数変換器１４３により２Ｇｈｚ低い６Ｇｈｚ〜８Ｇｈｚの中間周波数帯域の信号に変換され、信号合成器１５の入力ポート１５ｆ（６Ｇｈｚ〜８Ｇｈｚ）に送出される。同様に、指向性アンテナ素子１２４で受信された信号は、周波数変換器１４４により４Ｇｈｚ低い４Ｇｈｚ〜６Ｇｈｚの中間周波数帯域の信号に変換され、信号合成器１５の入力ポート１５ｇ（４Ｇｈｚ〜６Ｇｈｚ）に送出される。
【００２９】
信号合成器１５の各入力ポートに加えられた上記の信号は、信号合成器１５により１つの信号に合成される。この際、各入力ポートの通過周波数帯域に重複はないため相互に干渉することなく合成され、合成後は４Ｇｈｚ〜１８Ｇｈｚの帯域をもつ合成受信信号として信号合成器１５の出力ポート１５ｈに出力される。
【００３０】
この合成受信信号は、回転機構部１６内に配置されたロータリージョイント１８の回転部側コネクタ１８ａに送出される。ロータリージョイント１８は４Ｇｈｚ〜１８Ｇｈｚの伝送帯域を有しているため、合成受信信号はロータリージョイント１８内を通過して固定部側コネクタ１８ｂに伝送される。そして、固定側コネクタ１８ｂから、後段の受信系等に送出される。
【００３１】
本発明の第１の実施の形態においては、１６Ｇｈｚ〜１８Ｇｈｚの周波数帯域をアンテナ素子群１１内の３個の指向性アンテナ素子１１１、１１２、及び１１３で受信している。これら指向性アンテナ素子からの受信信号は、指向性アンテナ素子１１１を除き周波数変換器群１３により互いに重複することのない中間周波数帯域の信号に変換され、信号合成器１５にて１つの信号に合成後、１チャネルの高周波かつ広帯域な伝送特性を有するロータリージョイント１８を通過している。これにより、上記周波数帯域の３個の指向性アンテナ素子１１１、１１２、及び１１３からの受信信号を１つの回転機構で同時に伝送することができ、同一周波数帯域のアンテナ素子を複数個使用したマルチチャネル化ができる。
【００３２】
同様に、８Ｇｈｚ〜１０Ｇｈｚの周波数帯域は、アンテナ素子群１２内の４個の指向性アンテナ素子１２１、１２２、１２３、及び１２４で受信している。これら指向性アンテナ素子からの受信信号は、指向性アンテナ素子１２２を除き周波数変換器群１４により互いに重複することのない中間周波数帯域の信号に変換され、信号合成器１５にて１つの信号に合成後、ロータリージョイント１８を通過している。これにより、上記周波数帯域の４個の指向性アンテナ素子１２１、１２２、１２３、及び１２４からの受信信号を１つの回転機構で同時に伝送することができ、同一周波数帯域のアンテナ素子を複数個使用したマルチチャネル化ができる。
【００３３】
更に、１６Ｇｈｚ〜１８Ｇｈｚ及び８Ｇｈｚ〜１０Ｇｈｚの周波数帯域を同時に受信でき、周波数の広帯域性も維持できている。
【００３４】
（第２の実施の形態）
図２は、本発明に係る空中線装置の第２の実施の形態を示すブロック図である。この空中線装置２０は、伝送周波数の上限が比較的低い複数の伝送チャネルを有するロータリージョイントを用いて同一の周波数帯域を複数のアンテナ素子により同時受信するものであり、図２に示すように、指向性アンテナ素子２１１、２１２、２１３、２２１、２２２、及び２２３、周波数変換器２３１、２３２、２３３、２４１、２４２、及び２４３、回転機構部２５、並びに、駆動制御部２６を備えている。更に、回転機構部はロータリージョイント２７を備えている。
【００３５】
指向性アンテナ素子２１１、２１２、及び２１３は同一の受信周波数帯域を持つ指向性を有するアンテナ素子である。本実施の形態においては、その受信周波数帯域は１６Ｇｈｚ〜１８Ｇｈｚとしている。また、指向性アンテナ素子２２１、２２２、及び２２３も同一の受信周波数帯域を持つ指向性を有するアンテナ素子である。本実施の形態においては、その受信周波数帯域は８Ｇｈｚ〜１０Ｇｈｚとしている。
【００３６】
周波数変換器２３１、２３２、及び２３３はそれぞれ指向性アンテナ素子２１１、２１２、及び２１３からの受信信号を入力し、ロータリージョイント２７が伝送可能な中間周波数帯域の信号に変換し、ロータリージョイント２７に出力する。本実施の形態においては、周波数変換器２３１、２３２、及び２３３はいずれも１６Ｇｈｚ〜１８Ｇｈｚの受信信号を１Ｇｈｚ〜３Ｇｈｚの中間周波数帯域の信号に変換する。
【００３７】
周波数変換器２４１、２４２、及び２４３はそれぞれ指向性アンテナ素子２２１、２２２、及び２２３からの受信信号を入力し、ロータリージョイント２７が伝送可能な中間周波数帯域の信号に変換し、ロータリージョイント２７に出力する。本実施の形態においては、周波数変換器２４１、２４２、及び２４３はいずれも８Ｇｈｚ〜１０Ｇｈｚの受信信号を１Ｇｈｚ〜３Ｇｈｚの中間周波数帯域の信号に変換する。
【００３８】
回転機構部２５は、アンテナ素子群２１及び２２、並びに周波数変換器群２３及び２４を、駆動制御部２６からの制御信号により方位方向に回転する。また、内部に配置されたロータリージョイント２７を経由して、周波数変換器群２３及び２４からの信号を、その回転部側から固定部側に伝送する。
【００３９】
駆動制御器２６は、回転機構部２５を方位方向に回転させるのに必要な制御信号を発生し、回転機構部２５に供給する。
【００４０】
ロータリージョイント２７は、その伝送チャネル数に対応して回転部側にコネクタ２７ａ、２７ｂ、２７ｃ、２７ｄ、２７ｅ、及び２７ｆ、また、固定部側にコネクタ２７ｕ、２７ｖ、２７ｗ、２７ｘ、２７ｙ、及び２７ｚを有し、回転機構部２５内に配置されて回転部側の各コネクタ（２７ａ〜２７ｆ）に接続された周波数変換器群２３及び２４からの信号を固定部側の各コネクタ（２７ｕ〜２７ｚ）に伝送する。本実施の形態においては、ロータリージョイント２７の伝送可能な周波数帯域は１Ｇｈｚ〜３Ｇｈｚとし、伝送チャネル数は６チャネルとしている。
【００４１】
上述の構成の空中線装置２０においては、１６Ｇｈｚ〜１８Ｇｈｚの信号はアンテナ素子群２１内の３個の指向性アンテナ素子２１１、２１２、及び２１３で同時受信される。また、８Ｇｈｚ〜１０Ｇｈｚの信号はアンテナ素子群２２内の３個の指向性アンテナ素子２２１、２２２、及び２２３で受信される。
【００４２】
アンテナ素子群２１で受信された信号は周波数変換器群２３に入力され、周波数変換される。即ち、指向性アンテナ素子２１１からの受信信号は周波数変換器２３１で、指向性アンテナ素子２１２からの受信信号は周波数変換器２３２で、指向性アンテナ素子２１３からの受信信号は周波数変換器２３３でそれぞれ、１Ｇｈｚ〜３Ｇｈｚの中間周波数帯域の信号に変換される。そして、これらの信号は回転機構部２５内に配置されたロータリジョイント２７の回転部側のコネクタ２７ａ、２７ｂ、及び２７ｃに送出される。
【００４３】
一方、アンテナ素子群２２で受信された信号は周波数変換器群２４に入力され、周波数変換される。即ち、指向性アンテナ素子２２１からの受信信号は周波数変換器２４１で、指向性アンテナ素子２２２からの受信信号は周波数変換器２４２で、指向性アンテナ素子２２３からの受信信号は周波数変換器２４３でそれぞれ、１Ｇｈｚ〜３Ｇｈｚの中間周波数帯域の信号に変換される。そして、これらの信号は回転機構部２５内に配置されたロータリジョイント２７の回転部側のコネクタ２７ｄ、２７ｅ、及び２７ｆに送出される。
【００４４】
ロータリージョイント２７は、６チャネルの伝送チャネルいずれも１Ｇｈｚ〜３Ｇｈｚの伝送帯域を有しており、ロータリージョイント２７の回転部側の各コネクタ（２７ａ〜２７ｆ）に入力された上記の周波数変換器群２３及び２４からの信号はこのロータリージョイント２７を通過して、各チャネルに対応した固定部側のコネクタ（２７ｕ〜２７ｚ）に伝送される。そして、固定部側の各コネクタ（２７ｕ〜２７ｚ）から、後段の受信系等に接続される。
【００４５】
本発明の第２の実施形態においては、１６Ｇｈｚ〜１８Ｇｈｚの周波数帯域をアンテナ素子群２１内の３個の指向性アンテナ素子２１１、２１２、及び２１３で受信している。これら指向性アンテナ素子からの受信信号は、周波数変換器群２３によりいずれもロータリージョイント２７で伝送が可能な１Ｇｈｚ〜３Ｇｈｚの中間周波数帯域の信号に変換された後、複数の伝送チャネルを有するロータリージョイント２７を通過している。これにより、上記周波数帯域の３個の指向性アンテナ素子２１１、２１２、及び２１３からの受信信号を１つの回転機構で同時に伝送することができ、同一周波数帯域のアンテナ素子を複数個使用したマルチチャネル化ができる。
【００４６】
同様に、８Ｇｈｚ〜１０Ｇｈｚの周波数帯域は、アンテナ素子群２２内の３個の指向性アンテナ素子２２１、２２２、及び２２３で受信している。これら指向性アンテナ素子からの受信信号は周波数変換器群２４によりいずれもロータリージョイント２７で伝送が可能な１Ｇｈｚ〜３Ｇｈｚの中間周波数帯域の信号に変換された後、複数の伝送チャネルを有するロータリージョイント２７を通過している。これにより、上記周波数帯域の３個の指向性アンテナ素子２２１、２２２、及び２２３からの受信信号を１つの回転機構で同時に伝送することができ、同一周波数帯域のアンテナ素子を複数個使用したマルチチャネル化ができる。
【００４７】
更に、ロータリージョイント２７の伝送可能な周波数帯域の上限を超え、１６Ｇｈｚ〜１８Ｇｈｚ及び８Ｇｈｚ〜１０Ｇｈｚの周波数帯域を受信でき、周波数の広帯域性も有している。
【００４８】
なお、本発明は上述した第１の実施の形態及び第２の実施の形態に示されている具体的な数値による構成に限定されるものではなく、所望する受信周波数帯域や同時受信チャネル数、ロータリージョイントの伝送特性等により、種々の変形が可能である。
【００４９】
【発明の効果】
本発明によれば、複数のアンテナ素子で受信した信号をそれぞれ中間周波数に変換して回転機構を通過させることにより、複数のアンテナ素子、特に同一の受信周波数帯域を有する複数のアンテナ素子により同時受信した受信信号を単一の回転機構で伝送することが可能な、マルチチャネル化された空中線装置を得ることができ、時間的、空間的及び周波数的に拡がりのある電波監視を実施することができる。
【図面の簡単な説明】
【図１】本発明に係る空中線装置の第１の実施の形態を示すブロック図。
【図２】本発明に係る空中線装置の第２の実施の形態を示すブロック図。
【図３】従来の空中線装置の一例を示すブロック図。
【符号の説明】
１０、２０  空中線装置
１１、１２、２１、２２  アンテナ素子群
１３、１４、２３、２４  周波数変換器群
１５  信号合成器
１６、２５  回転機構部
１７、２６  制御駆動部
１８、２７  ロータリージョイント
１１１〜１１３、１２１〜１２４、２１１〜２１３、２２１〜２２３  指向性アンテナ素子
１３２、１３３、１４１、１４３、１４４、２３１〜２３３、２４１〜２４３  周波数変換器
【図１】
2004151051.tif 000003
【図２】
2004151051.tif 000004
【図３】
2004151051.tif 000005